(57)【要約】      （修正有）【課題】既存のかばんの上からかぶせて装着することで、ひとつのかばんとして持ち運びできるようになり、収納力、携帯性を向上させることができるバッグを提供する。【解決手段】バッグ・オン・バッグ本体１に前面ポケット２・３、背面ポケットを設け、既存のかばんに収納しきれない小物、例えば、出張や小旅行用のアイテム・洗面用具・ワイシャツ・着替え等の小物を収納し、既存のかばんの上から馬の鞍を載せるようにかぶせて装着し、既存のかばんの持ち手を持ち手取り出し口１１から出し、既存のかばん２９とバッグ・オン・バッグ本体１が一体として持ち運びができるようにした。また、バッグ・オン・バッグ本体にサイド固定ベルト８と底部固定ベルト９を取り付け、既存のかばんに固定することで、持ち運びに既存のかばん２９からバッグ・オン・バッグ本体１がずれたり、外れたりする持ち運び時の不具合が解消される。【選択図】図１
0003159143.tif 000002
【実用新案登録請求の範囲】
【請求項１】
既存のかばんの上に、馬の鞍を載せるようにかぶせて装着できるバッグであって、バッグの全体の縦断面が開口を下向きとするコの字形状を有するバッグ本体と、このバッグ本体の前記下向きとするコの字形状の上部中央に設けられ前記かばんの持ち手が露出される持ち手出し口と、前記下向きとするコの字形状の両先端に設けられ前記かばんの底部への固定を行なう底部固定ベルトと、前記下向きとするコの字形状の両中辺部の左右両端に設けられ前記かばんのサイドへの固定を行なうサイド固定ベルトと、前記下向きとするコの字形状の前面または背面に設けられた収納ポケットと、を有することを特徴とするバッグ・オン・バッグ。
【考案の詳細な説明】
【技術分野】
【０００１】  本考案は、日常的に使用している薄型のビジネスバッグ等既存のかばんに収納しきれない書類や小物類、例えば急な出張で必要になった書類や洗面用具、ワイシャツ、着替え等を既存のかばんとともに携行する場合に、既存のかばん以外にもうひとつ増やすことなく、既存のかばんに収納しきれない小物類を収納して既存のかばんの上に馬の鞍を載せるように装着し、ひとつのかばんのように携帯できるようにするバッグに関するものである。
【背景技術】
【０００２】  日常的に使用している既存のかばんに入りきらない荷物類が発生し、それも同時に携行しなければならない場合、大型バッグに詰め替えて、ひとつのバッグにまとめるか、あるいは、既存のかばんの他に、増えた荷物を収納するために二つ目のかばんを用意し、２つのバッグを携帯するかのいずれかであった。【０００３】  既存のかばんに入りきらない荷物が発生した場合、上記のように大型のバッグに既存のかばんに収納されている物とともに既存のかばんに入りきらない荷物、例えば出張や小旅行時の洗面用具や着替え等増えた荷物を一緒に収納した時、バッグの中で既存のかばんに収納していた物と増えた荷物が混在し、整理や取り出しが煩わしいという不具合が発生する。【０００４】  また、既存のかばんに入りきらない荷物を別のバッグに入れた場合は、既存のかばんともうひとつバッグを持ち運ばなければならない煩わしさがあった。
【考案の概要】
【考案が解決しようとする課題】
【０００５】  そこで、本考案の課題は、既存のかばんの他に別のバッグを携帯するという煩わしさ、大型バッグの中で既存のかばんに入れていた物と臨時で増えた荷物が混在し、整理しにくい、取り出しにくいという不便さ、その後、既存のかばんに荷物を戻す手間といった時間的、肉体的な負担を解消し、携帯性を向上することができるバッグを提供することにある。
【課題を解決するための手段】
【０００６】  上記課題を解決するために請求項１に記載の考案にかかるバッグ・オン・バッグは、既存のかばんの上に、馬の鞍を載せるようにかぶせて装着でき、バッグの全体の縦断面が開口を下向きとするコの字形状を有するバッグ本体と、このバッグ本体の前記下向きとするコの字形状の上部中央に設けられ前記かばんの持ち手が露出される持ち手出し口と、前記下向きとするコの字形状の両先端に設けられ前記かばんの底部への固定を行なう底部固定ベルトと、前記下向きとするコの字形状の両中辺部の左右両端に設けられ前記かばんのサイドへの固定を行なうサイド固定ベルトと、前記下向きとするコの字形状の前面または背面に設けられた収納ポケットと、を有することを特徴とする。【０００７】  すなわち、本考案に係る上記バッグ・オン・バッグにあっては、既存のかばんに入らない荷物をバッグ・オン・バッグ本体の前面と背面に設けられた収納ポケットに収納することができるため、大型のバッグでひとつにまとめた時のように大型のバッグの中で既存のかばんに入れていた物と既存のかばんに収納できない荷物が混在し、整理しにくさ、取り出しにくさが解消される。【０００８】  また、本考案に係る上記バッグ・オン・バッグは、既存のかばんの上に、馬の鞍を載せるようにかぶせて装着でき、既存のかばんの持ち手が露出される持ち手出し口が設けられていることを特徴とする。【０００９】  すなわち、本考案に係る上記バッグ・オン・バッグにあっては、既存のかばんの上にかぶせて装着し、既存のかばんの持ち手がバッグ・オン・バッグの持ち手取り出し口から出すことができる。したがって、ひとつのバッグのように持ち運ぶことができる。【００１０】  また、既存のかばんにバッグ・オン・バッグを装着した際に、既存のかばんと固定するための底部固定ベルトとサイド固定ベルトが備えられていることを特徴とする。【００１１】  すなわち、本考案に係る上記バッグ・オン・バッグにあっては、持ち運び時に既存のかばんからバッグ・オン・バッグがずれたり、外れたりすることを防止することができる。
【考案の効果】
【００１２】  請求項１記載の本考案に係るバッグ・オン・バッグは、既存のかばんに入りきらない荷物を持ち運ぶ場合に、バッグ・オン・バッグの前面または背面に設けられた収納ポケットに入りきらない荷物を収納し、既存のかばんの上に、馬の鞍を載せるようにかぶせて装着し、既存のかばんの持ち手をバッグ・オン・バッグの持ち手取り出し口から出して、ひとつのバッグのように持ち運びができるので、既存のかばんともうひとつ別のバッグを持つ必要がなくなり携帯性が向上して使い勝手が良好になる。
また、既存のかばんの収納物と既存のかばんに入りきらない荷物をバッグ・オン・バッグの収納ポケットに収納することで、既存のかばんの中に入れている日常的使用するものとそれ以外の荷物を完全に分離できるので、大型のバッグひとつにまとめた時のように、荷物の整理の手間や取り出しにかかる労力、負担を解消することができる。
また、装着時において、上記サイド固定ベルト、底部固定ベルトを使用することにより、持ち運び時に既存のかばんからバッグ・オン・バッグが外れたり、ずれたりすることを防止し、良好な状態で携帯することができる。
【考案を実施するための形態】
【００１３】  以下、図面を用いて本考案の実施の形態について説明する。
本実施の形態に係るバッグ・オン・バッグ本体１は、図１・２に示すように、既存のかばん２９の上に、馬の鞍を載せるようにかぶせて装着でき、既存のかばんの持ち手３０が露出される持ち手出し口１１が設けられている。
また、既存のかばん２９とバッグ・オン・バッグ本体１を固定するためサイド固定ベルト８と底部固定ベルト９が設けられている。
また、既存のかばん２９に収納できない荷物を収納するため、図１・７に示すようにバッグ・オン・バッグ本体１の前面および背面に収納ポケット２・３・２０が設けられている。
【実施例】
【００１４】  図１〜図２および図４〜図１０は実施例に係るバッグ・オン・バッグ本体１を示したものである。上記バッグ・オン・バッグ本体１は、図１・２に示すように、既存のかばん２９の上に、馬の鞍のようにかぶせて装着し、既存のかばんの収納性を向上させる。
また、図２に示すように既存のかばんとバッグ・オン・バッグを固定するため、両サイドにはサイド固定ベルト８が、底部には底部固定ベルト９が設けられ、持ち運び時の快適性を向上させている。
図１・２・３に示すように、バッグ・オン・バッグ本体１と既存のかばん２９がひとつのバッグのように持ち運びができるよう、既存のかばんの持ち手３０が露出される持ち手出し口１１が設けられている。
図４・５・６に示すように、バッグ・オン・バッグ本体１の前面に収納ポケット２・３、背面に収納ポケット２０が設けられており、既存のかばんに収納しきれない荷物を収納して携帯できる。【００１５】  図２・４に示すように、開口を下向きとするコの字形状の上部中央にはバッグ・オン・バッグ本体に持ち手１０が設けられており、バッグ・オン・バッグ本体でも手持ちで携帯することができる。【００１６】  また、図２・４に示すように、ショルダーベルト装着用Ｄリング１２が設置され、ショルダーベルトを取り付けることで上記手持ちの他、肩に掛けて使用でき、使い勝手が良好となる。【００１７】  図４・５・６に示すように、バッグ・オン・バッグ本体の前面の収納ポケット２・３には、それぞれスライドファスナー４・５が取り付けられ、ファスナーを開いて小物類を収納でき、収納ポケット２の内部の本体側の壁面にペンホルダー１３・１４・１５、携帯ポケット１６が設置され、収納ポケット３にも小物類が収納でき、収納ポケット３の内部の本体側の壁面にはフォールディングポケット１７・１８・１９が設置され、収納ポケット内の底に小物が混在することなく荷物を整理できる。【００１８】  また、図４に示すように、前面の収納ポケット２・３には、スライドファスナー６・７が取り付けられ、サブポケットとなっており、小物を収納できる。【００１９】  図７・８に示すように、バッグ・オン・バッグ本体１の背面に収納ポケット２０が取り付けられ、スライドファスナー２１を開いて、小物を収納でき、収納ポケット２０の内部の本体側の壁面にはメッシュポケット２３が設置され、スライドファスナー２２を開いて小物を収納でき、収納ポケット内で荷物を分類して整理でき、収納性を良好にした。【００２０】  また、図９に示すように、吊り下げた状態で表面の収納ポケット２・３およびサブポケット６・７を使用することができ、ウォールポケットのように壁などにかけて、小物を整理、収納ができる。【００２１】  図１０に示すように、バッグ・オン・バッグ本体１を広げた内側２５には、吊り下げ用フック２７が取り付けられており、バッグ・オン・バッグ本体１を吊り下げて収納・保管しておくことができる。
また、図１０に示すようにフック２７を使用しない時は、フック掛け２８に引っ掛けて収納しておける。【００２２】  図１０に示すように、バッグ・オン・バッグ本体１を広げた内側２５には隠しポケット２６が設置され、既存のかばんに装着した状態でもバッグ・オン・バッグの斜め横から手を入れて、小物を出し入れできるようにした。さらに外側からスムーズに隠しポケット２６へ手が届くように４５度の角度を付けて、利便性を図っている。
【産業上の利用可能性】
【００２３】  本考案は、持ち手の付いたバッグに適用可能である。
【図面の簡単な説明】
【００２４】
【図１】本考案の既存のかばんに使用した例を示すバッグ・オン・バッグの斜視図である。
【図２】本考案の実施例に係るバッグ・オン・バッグの前面から見た斜視図である。
【図３】本考案の実施例に係る既存のかばんの斜視図である。
【図４】本考案の実施例に係るバッグ・オン・バッグの前面から見た斜視図である。
【図５】本考案の実施例に係るバッグ・オン・バッグの前面ポケット内に備えられる内装部材の正面図である。
【図６】本考案の実施例に係るバッグ・オン・バッグの前面ポケット内に備えられる内装部材の正面図である。
【図７】本考案の実施例に係るバッグ・オン・バッグの背面から見た斜視図である。
【図８】本考案の実施例に係るバッグ・オン・バッグの背面ポケット内に備えられる内装部材の正面図である。
【図９】本考案の実施例に係るバッグ・オン・バッグの外側の展開図である。
【図１０】本考案の実施例に係るバッグ・オン・バッグの内側の展開図である。
【符号の説明】
【００２５】  １  バッグ・オン・バッグ本体
２  前面収納ポケット
３  前面収納ポケット
４  スライドファスナー
５  スライドファスナー
６  サブポケットスライドファスナー
７  サブポケットスライドファスナー
８  サイド固定ベルト
９  底部固定ベルト
１０  バッグ・オン・バッグ本体持ち手
１１  持ち手出し口
１２  ショルダーベルト装着Ｄリング
１３  ペンホルダー
１４  ペンホルダー
１５  ペンホルダー
１６  携帯ポケット
１７  フォールディングポケット
１８  フォールディングポケット
１９  フォールディングポケット
２０  背面収納ポケット
２１  スライドファスナー
２２  スライドファスナー
２３  メッシュポケット
２４  バッグ・オン・バッグ外側全面
２５  バッグ・オン・バッグ内側全面
２６  隠しポケット
２７  フック
２８  フック掛け
２９  持ち手
３０  既存のかばん
0003159143.tif 000003
【手続補正書】
【提出日】平成22年2月12日(2010.2.12)
【手続補正１】
【補正対象書類名】図面
【補正対象項目名】全図
【補正方法】変更
【補正の内容】
【図１】
0003159143.tif 000004
【図２】
0003159143.tif 000005
【図３】
0003159143.tif 000006
【図４】
0003159143.tif 000007
【図５】
0003159143.tif 000008
【図６】
0003159143.tif 000009
【図７】
0003159143.tif 000010
【図８】
0003159143.tif 000011
【図９】
0003159143.tif 000012
【図１０】
0003159143.tif 000013
【手続補正２】
【補正対象書類名】実用新案登録請求の範囲
【補正対象項目名】請求項１
【補正方法】変更
【補正の内容】
【請求項１】
かばんの上に、馬の鞍を載せるようにかぶせて装着できるバッグであって、バッグの全体の縦断面が開口を下向きとするコの字形状を有するバッグ本体と、このバッグ本体の前記下向きとするコの字形状の上部中央に設けられ前記かばんの持ち手が露出される持ち手出し口と、前記下向きとするコの字形状の両先端に設けられ前記かばんの底部への固定を行なう底部固定ベルトと、前記下向きとするコの字形状の両中辺部の左右両端に設けられ前記かばんのサイドへの固定を行なうサイド固定ベルトと、前記下向きとするコの字形状の前面または背面に設けられた収納ポケットと、を有することを特徴とするバッグ・オン・バッグ。